(57)【要約】      （修正有）【課題】引き戸を勢いよく閉めたときに、引き戸の勢いを緩衝するとともに、引き戸を完全に閉めることができる引き戸の引き込み機を提供する。【解決手段】引き戸１４の裏面上部に引き込み装置２０を埋め込み、家具の天板１１にストライクを取り付けるか、或いは家具の天板に引き込み装置を埋め込み、引き戸の上部にストライクを取り付ける。引き戸の開時には引き込み装置のランナーに形成された第一係止片がストライクに係合して引っ張りバネに抗してランナーを待機位置に移動させ、引き戸の閉時にはストライクが第一係止片に係合して引っ張りバネで引き戻されることによりランナーを非待機位置にする引き戸の引き込み機構とする。さらに、ストライクには正常の引き戸の開時にランナーの第一係止片と係合する本係合段部が形成されているとともに、引き戸の閉時にランナーの第一係止片が本係合段部から外れたときに引き戸を閉めることにより、ランナーの第一係止片と係合できる仮係合段部を形成する。【選択図】図１
0003164346.tif 000002
【実用新案登録請求の範囲】
【請求項１】
引き戸の裏面上部に引き込み装置を埋め込み、家具の天板にストライクを取り付けるか、或いは家具の天板に引き込み装置を埋め込み、引き戸の上部にストライクを取り付けて、引き戸の開時には引き込み装置のランナーに形成された第一係止片がストライクに係合して引っ張りバネに抗してランナーを待機位置に移動させ、引き戸の閉時にはストライクが第一係止片に係合してランナーが引っ張りバネで引き戻されることによりランナーを非待機位置にする引き戸の引き込み機構において、ストライクには正常の引き戸の開時にランナーの第一係止片と係合する本係合段部が形成されているとともに、引き戸の閉時にランナーの第一係止片が本係合段部から外れたときに引き戸を閉めることにより、ランナーの第一係止片と係合できる仮係合段部が形成されていることを特徴とする引き戸の引き込み機構。
【請求項２】
前記ストライクは、基台上に二等辺三角柱が立設し、該二等辺三角柱の底辺に略台形柱の上底が一体となって立設していて、台形柱の下底が本係合段部であり、二等辺三角柱の底辺と台形柱で形成される段部が仮係合段部であることを特徴とする請求項１に記載の引き戸の引き込み機構。
【考案の詳細な説明】
【技術分野】
【０００１】  本考案は、引き戸が取り付けられた家具において、引き戸を勢いよく閉めたときに、引き戸の勢いを緩衝するとともに、引き戸を完全に閉めることができる引き戸の引き込み機構に関する。【０００２】  一般に家具の引き戸は、走行性を良好にするため、引き戸の下部に戸車が取り付けられている。従って、引き戸は軽い力で簡単に開閉するものであるが、かえって力強く引き戸を閉めると、走行性がよすぎるために、一旦閉まった引き戸が、家具の側板に勢いよく当たり、その反動で少し開いてしまうことがあった。また引き戸を勢いよく閉めることを繰り返し行っていると、家具の側壁や引き戸の側面が傷付くばかりでなく、側板の接合部、例えば天板や底板との接合部が剥がれてしまうこともあった。さらに引き戸を勢いよく閉めると、引き戸が家具の側板に当たって、大きな音を発し、静寂な夜間では隣室や隣家に饗いて騒音の原因ともなる。【０００３】  また家具を使用する人が急いでいて、家具内の物を取り出したり、家具内に物を収納したりした後、引き戸を閉めたつもりでも引き戸が完全に閉まってなく、少し開いた状態で去ってしまうことがある。この家具が厨房用家具であって、内部に食品や食器が収納されている場合、戸が完全に閉まっていないと、ハエやゴキブリ等の害虫が侵入してしまうことになる。【０００４】  このような問題に鑑み、従来より引き戸を勢いよく閉めても、その勢いを緩衝するとともに、引き戸を閉めたときに完全に閉まってなくても、それを完全に閉める引き戸の引き込み機構が提案されていた（特許文献１、２）。【０００５】  引き戸の引き込み機構とは、引き込み装置と該引き込み装置を作動させるストライクからなり、引き込み装置を引き戸に取り付けたときにはストライクを家具の天板に取り付け、引き込み装置を家具の天板に取り付けたときにはストライクを引き戸に取り付ける。しかしながら引き込み装置は、高さが家具の天板よりも大きいことが多く、この場合、引き込み装置を天板に埋め込むことができないため、引き込み装置は引き戸に取り付ける。【０００６】  引き込み装置には、引き込み装置に形成された細長い開口を一端（非待機位置）から他端（待機位置）に移動するランナーが設置されている。また該ランナーには、ストライクを挟む二つの突出片である第一係止片と第二係止片が形成されている。第一係止片は待機位置側に、そして第二係止片は非待機位置側となっている。ランナーが非待機位置にあるときは、引き戸が閉じており、ランナーが待機位置にあるときは、引き戸が開いている。ランナーが非待機位置にあるときはランナーは水平となっているため、第一係止片と第二係止片は引き込み装置の細長い開口から突出しており、ランナーが待機位置にあるときはランナーは傾斜しているため、第一係止片は該開口内に没している。特許文献１、２に使用されているストライクの横巾は、長手方向に直交するランナーの巾と略同一巾である。【０００７】  引き戸の引き込み機構を備えた家具では、引き戸の開時にランナーの第一係止片がストライクから外れて、引っ張りバネにより非待機位置に戻ってしまうことが往々にしてあった。このように第一係止片がストライクから外れる原因は引き戸のガタツキによるもので���る。つまり引き戸は、天板に刻設した溝と床板に敷設したレール間に置かれ、そして引き戸上部が天板の溝内で保持され、引き戸の下部がレール上を走行するようになっている。この引き戸上部の巾と天板の溝の巾とが隙間なく形成されていると、摩擦により引き戸の円滑な走行が行えないため、天板の溝巾は引き戸上部の巾よりも少し広くなっている。その結果、引き戸上部は、前後方向に少し動くという「ガタツキ」がある。このガタツキが第一係止片とストライクの外れる原因である。
【特許文献１】特開平１１−２６４２７０号公報
【特許文献２】特開２００５−２３６１５号公報
【考案が解決しようとする課題】
【０００８】  ところで従来の引き戸の引き込み機構では、第一係止片とストライクが外れた場合、引き戸を開けて指を第二係止片に掛け、引っ張りバネに抗してランナーを待機位置まで移動させる作業を行わなければならなかった。しかしながら、家具が天井近くの高いところに設置されている場合、この作業は踏み台や脚立等を用いなければならないため多大な手間がかかり、またこの作業を爪の長い女性が行う場合、無理な姿勢で第二係止片に指を掛けて行うと、第二係止片から指が滑って爪を剥がすという危険なものである。本考案は、第一係止片とストライクが外れても、引き戸を少し強く閉めるだけで第一係止片とストライクの係合が容易に復帰するという引き戸の引き込み機構を提供することにある。
【課題を解決するための手段】
【０００９】  本考案者は、ランナーが非待機位置にある場合、ストライクは第一係止片の略半分のところにあり、ランナーの第一係止片はガタツキにより家具に対して前後方向に少し動くことに着目して本考案を完成させた。
【００１０】  本考案は、引き戸の裏面上部に引き込み装置を埋め込み、家具の天板にストライクを取り付けるか、或いは家具の天板に引き込み装置を埋め込み、引き戸の上部にストライクを取り付けて、引き戸の開時には引き込み装置のランナーに形成された第一係止片がストライクに係合して引っ張りバネに抗してランナーを待機位置に移動させ、引き戸の閉時にはストライクが第一係止片に係合して引っ張りバネで引き戻されることによりランナーを非待機位置にする引き戸の引き込み機構において、ストライクには正常の引き戸の開時にランナーの第一係止片と係合する本係合段部が形成されているとともに、引き戸の閉時にランナーの第一係止片が本係合段部から外れたときに引き戸を閉めることにより、ランナーの第一係止片と係合できる仮係合段部が形成されていることを特徴とする引き戸の引き込み機構である。
【考案の効果】
【００１１】  本考案の引き戸の引き込み機構は、ランナーの第一係止片がストライクから外れても、引き戸を少し強い力で閉めるだけでストライクが第一係止片に仮係合し、ランナーを待機位置にさせれば、その後、ストライクは第一係止片と正常な係合に復帰するものである。従って、本考案の引き戸の引き込み機構は、ストライクと第一係合片が外れても、これらの係合復帰に手間や危険を伴わないという従来の引き込み機構にはない優れた効果を奏するものである。
【考案を実施するための最良の形態】
【００１２】  以下、図面に基づいて本考案の引き戸の引き込み機構を説明する。図１は本考案引き戸の引き込み機構を設置した家具の背面断面図、図２は図１のＡ−Ａ線断面図、図３は図２の丸部拡大断面図、図４は図１の丸部拡大図、図５本考案引き戸の引き込み機構に使用する引き込み装置の正面断面図、図６は本考案に使用する引き込み装置のランナーの拡大図、図７は同平面図、図８はストライクの斜視図、図９は同平面図である。【００１３】  家具１０は、天板１１、床板１２、一対の側板１３、１３、図示しない奥板、及び二枚の引き戸１４、１４から構成されている。【００１４】  天板１１の下面には二本の溝１５、１５が刻設されており、これらの溝の真下の床板１２には二本のレール１６、１６が敷設されている。そして引き戸１４は、上部が溝１５に挿入され、引き戸の下部の戸車がレール１６上に置かれて、家具１０に設置されている。【００１５】  引き戸１４の裏面上部には、引き込み装置２０が取り付けられている。引き込み装置２０は、隣接した引き戸に擦れないように引き戸に埋め込んで取り付ける。そして家具１０の天板１１の下面には、引き込み装置を作動させる位置にストライク４０が取り付けられている。【００１６】  ここで本考案に使用する引き込み装置とストライクについて説明する。【００１７】  引き込み装置とは、引き戸を勢いよく閉めたときに、引き戸の勢いを緩衝させて引き戸が家具の側板に強く当たるのを防ぐとともに、引き戸を完全に閉めず、途中で止めても、引き戸を完全に閉めることができるというものである。【００１８】  引き込み装置２０はケース２１、ランナー２２、引っ張りバネ２３、ダンパー２４から構成されている。ケース２１には両側にガイド溝２５が長手方向水平に形成されており、先端部が斜め下方に屈曲した屈曲部２６となっている。ランナー２２は第一ガイドピン２７と第二ガイドピン２８が横方に突出しており、これらのガイドピンがガイド溝２５内を移動するようになっている。そしてランナー２２には第一係止片２９、第二係止片３０が上方に突出して形成されている。【００１９】  引っ張りバネ２３は、一端がランナー２２に係止され、他端がケース２１の端部に係止されており、常時、ランナー２２を引っ張っている状態となっている。ダンパー２４は、シリンダー３１内にピストン３２が移動自在に配置されている。該ピストンにはロッド３３が固定されており、さらにロッド３３の先端は前述ランナー２２に係合されている。ダンパー２４は、シリンダー３１内でピストン３２が移動するときに、空気を徐々に流出させることにより、勢いよく移動するランナーの移動を緩衝させるものである。符号３４は、ケース２１の上部に形成された細長い開口であり、該開口から第一係止片２９と第二係止片３０が突出して開口３４の端から端まで移動するようになっている。【００２０】  本考案に使用する引き込み装置は、ランナーが図６、７に示すように、ランナー２２の上部には第一係止片２９と第二係止片３０が形成されている。第一係止片２９の下部両側には第一ガイドピン２７が形成され、第二係止片３０の下部両側には第二ガイドピン２８が形成されている。第一係止片２９の片側は、待機位置方向（図５中左方）が徐々に薄くなるように傾斜した傾斜面３５となっている。【００２１】  ストライク４０は、図８、９に示すように、基台４１上に二等辺三角柱４２が立設しており、該二等辺三角柱の底辺に略台形柱４３の上底が一体となって立設している。二等辺三角柱４２の底辺と台形柱４３の上底で形成される段部が仮係合段部４４であり、台形柱４３の下底が本係合段部４５である。本係合段部４５は、第一係止片が外れにくいように少し内方に湾曲している。そして基台４１の両側には、ネジ穴４６、４６が穿設されている。【００２２】  ストライク４０は、二等辺三角柱と略台形柱からなる矢印形状となっており、この矢印形状は、長手方向の中心線に対して、線対称である。このようにストライクを線対称にすると、左右の引き戸に対して、取り付け方向を逆にするだけで、使用できる。しかしながら、本発明においては、ストライクを線対称とせず、左側用と右側用のストライクを作っておいて、それらを使用することもできる。【００２３】  上記構造からなる引き込み装置でのランナーの移動について説明する。引き込み装置は、図１の左側の引き戸に取り付けた場合の説明である。ランナー２２は引っ張りバネ２３に引っ張られており、ガイド溝２５の水平部奥方（図５中右方）に位置している。この状態は、引き戸が閉まっている状態であり、正常であれば第一係止片２９と第二係止片３０間にストライク４０が位置している。そして引き戸１４を開け、引っ張りバネのバネ力に抗してランナー２２を移動させると、ランナー２２の第一ガイドピン２７と第二ガイドピン２８はガイド溝２５内を移動する。すると図５の二点鎖線で示すように、第一ガイドピン２７はガイド溝２５の屈曲部２６の端部に位置し、第二ガイドピン２８は水平部に位置する。この状態では引っ張りバネ２３が長く伸ばされているため、ランナー２２に対して引き戻す大きな力が働いている。ランナー２２はバネ力に抗して外力により移動させられるが、ランナー２２にかかっている外力を外しても、第一ガイドピン２７がガイド溝２５の屈曲部２６に引っ掛かっていることから、ランナー２２はロックされた状態となっていて、この位置に留まる。このとき図５の二点鎖線で示すように、ランナー２２は傾斜しているため、第一係止片２９は開口３４内に没しており、第二係止片３０は開口３４から突出している。このランナーの位置（図５中左方）が引き戸を開けた状態の待機位置である。【００２４】  ランナー２２がガイド溝２５の水平部の最奥の非待機位置（図５中の実線）にある引き込み装置において、ランナー２２を待機位置に移動させるには、ストライクで行う。図１〜４に示すように引き込み装置２０を引き戸１４の裏面に取り付けた場合、ストライク４０は家具１０の天板１１の下面に取り付ける。ストライク４０の天板１１への取付位置は、引き戸を閉めてランナー２２を待機位置にしたときに、ストライク４０の仮係合段部４３が第一係止片２９と係合できる位置である。【００２５】  引き戸の引き込み機構における引き込み装置は、引き戸を開けたときには、第一係止片２９がストライク４０の本係合段部４５に係合して移動させられ、ランナー２２は最先端、即ち引っ張りバネが最長に伸びた待機位置となる��しかしながら引き戸を開けてストライクにより、引っ張りバネに抗して第一係止片２９を押しながらランナーを最端の待機位置に移動させるときに、ストライクが第一係止片から外れてしまい、ランナーが引っ張りバネに引っ張られて引き戸を閉めた状態、即ち非待機位置に戻ってしまうことがあった。引き戸を開けたときに、引き込み装置のランナーが非待機位置にあると、引き戸を閉めてもストライクは第一係止片と係合しなくなり、引き込み装置が引き戸を引っ張ったり、引き戸の勢いを緩衝したりするという機能を全く果たさなくなってしまう。【００２６】  次に本考案の引き戸の引き込み機構におけるランナーとストライクの係合状態について図１０〜１３で説明する。【００２７】  図１０は、引き戸が完全に閉まっている状態である。この状態は、ランナー２２は開口３４の非待機位置（図１０中右）に位置しており、第一係止片２９はストライク４０の本係段部４５と係合した正常の係合状態である。【００２８】  図１１は、図１０の状態から引き戸を開く途中である。このとき家具１０の天板１１に取り付けられたストライク４０は停止していて、引き戸１４に取り付けられた引き込み装置２０が矢印Ｘ方向に移動する。このとき何らかの原因でランナー２２の第一係止片２９がストライク４０の本係段部４５から外れ、ランナー２２は引っ張りバネにより非待機位置（図１１中右）に戻ってしまっている。【００２９】  図１２は、非待機位置に戻ったランナー２２に対して、ストライク４０を仮係合する状態である。引き戸を閉めると、非待機位置に戻ったランナー２２の第一係止片２９がストライク４０の位置まで移動する。このときランナー２２の第一係止片２９はストライク４０に当たってそれ以上は移動しないが、引き戸をさらに少し強く閉める方に押すと、ストライク４０の二等辺三角柱４２には傾斜が付され、また第一係止片２９にも傾斜面３５があるため、第一係止片２９は仮係段部４４を乗り越えて仮係段部４４と係合する。しかしながら、引き戸をそれ以上押し込んでも、第一係止片２９はストライク４０の本係段部４５まで移動しない。【００３０】  図１３は、ストライク４０の仮係段部４４とランナー２２の第一係止片２９が仮係合して移動する状態である。ストライク４０とランナー２２が仮係合した後、引き戸を開けると、ランナー２２の第一係止片２９は、ストライク４０の仮係段部４４に当接して、待機位置（図１３中左）まで移動する。ランナー２２が待機位置に達すると、第一係止片３９は開口３４内に没する。その後、再度、引き戸を閉めると、先ずストライク４０の二等辺三角柱４３の先端が第二係止片３０に当たって、ランナー２２のロック状態を解除し、第一係止片２９が開口３４から出てくる。そして第一係止片２９がストライク４０の本係段部４３に係合し、引っ張りバネでランナー２２を引っ張って、引き戸を完全に閉めるようになる。
【産業上の利用可能性】
【００３１】  本考案は、厨房用家具にかぎらず、靴箱、本箱、仏壇等、引き戸を使用した家具に使用でき、さらに引き戸を二枚設置した引き違い戸ばかりでなく、引き戸が一枚のものでも使用できることは言うまでもない。
【図面の簡単な説明】
【００３２】
【図１】本考案引き戸の引き込み機構を設置した家具の背面断面図
【図２】図１のＡ−Ａ線断面図
【図３】図２の丸部拡大断面図
【図４】図１の丸部拡大図
【図５】本考案引き戸の引き込み機構に使用する引き込み装置の正面断面図
【図６】本考案に使用する引き込み装置のランナーの拡大図
【図７】図５の平面図
【図８】ストライクの斜視図
【図９】図７の平面図
【図１０】ランナーが非待機位置にある状態
【図１１】引き戸を開く途中で第一係止片がストライクから外れた状態
【図１２】非待機位置で第一係止片をストライクに仮係合する状態
【図１３】ストライクの仮係合段部と第一係止片が係合して移動する状態
【符号の説明】
【００３３】１０  家具
１１  天板
１２  床板
１４  引き戸
２０  引き込み装置
２２  ランナー
２９  第一係止片
３０  第二係止片
４０  ストライク
４２  二等辺三角柱
４３  台形柱
４４  仮係合段部
４５  本係合段部
【図１】
0003164346.tif 000003
【図２】
0003164346.tif 000004
【図３】
0003164346.tif 000005
【図４】
0003164346.tif 000006
【図５】
0003164346.tif 000007
【図６】
0003164346.tif 000008
【図７】
0003164346.tif 000009
【図８】
0003164346.tif 000010
【図９】
0003164346.tif 000011
【図１０】
0003164346.tif 000012
【図１１】
0003164346.tif 000013
【図１２】
0003164346.tif 000014
【図１３】
0003164346.tif 000015